(57)【要約】   本発明は、電源５０からの電力供給を受けて動作する少なくとも１つの機能モジュール４２Ａ，４２Ｂ，４２Ｃ，．．．４２Ｎを備え、拡張機器２０が接続されるインターフェース１２を有する車載マルチメディア装置１であって、インターフェース１２に拡張機器２０が新たに接続されたときに、該接続前の状態で存在する既存の機能モジュール４２Ａ，４２Ｂ，４２Ｃ，．．．４２Ｎの中に、拡張機器２０に備わる機能モジュール２２に対応する既存の機能モジュール（対応機能モジュール）４２Ｂが存在する場合は、該既存の対応機能モジュール４２Ｂへの電力供給を遮断すると共に、拡張機器２０に備わる機能モジュール２２へ電力供給を行うことを特徴とする。
2010116523.tif 000002
【特許請求の範囲】
【請求項１】
電源からの電力供給を受けて動作する少なくとも１つの機能モジュールを備え、拡張機器が接続されるインターフェースを有する車載マルチメディア装置であって、
前記インターフェースに拡張機器が新たに接続されたときに、該接続前の状態で存在する既存の機能モジュールの中に、前記拡張機器に備わる機能モジュールに対応する既存の機能モジュール（以下、対応機能モジュールという）が存在する場合は、該既存の対応機能モジュールへの電力供給を遮断すると共に、前記拡張機器に備わる機能モジュールへ電力供給を行うことを特徴とする、車載マルチメディア装置。
【請求項２】
電源からの電力供給を受けて動作する複数の機能モジュールを備え、該複数の機能モジュールの中に、他の機能モジュールから独立した態様で電源からの電力供給の遮断が可能な機能モジュールを備え、
前記既存の対応機能モジュールが、前記他の機能モジュールから独立した態様で電源からの電力供給の遮断が可能な機能モジュールに該当する場合に、該既存の対応機能モジュールへの電力供給の遮断が実行される、請求項１に記載の車載マルチメディア装置。
【請求項３】
前記既存の対応機能モジュールが、前記他の機能モジュールから独立した態様で電源からの電力供給の遮断が可能な機能モジュールに該当しない場合は、該既存の対応機能モジュールへの電力供給の遮断が行われない、請求項２に記載の車載マルチメディア装置。
【請求項４】
２つ以上の拡張機器が接続される２つ以上のインターフェースを有し、
第１のインターフェースに第１の拡張機器が接続された状態で、第２のインターフェースに第２の拡張機器が新たに接続される場合は、前記第１の拡張機器に備わる機能モジュールは、前記既存のモジュールと看做される、請求項１に記載の車載マルチメディア装置。
【請求項５】
前記既存の対応機能モジュールは、前記インターフェースに新たに接続された前記拡張機器から供給される拡張機器機能モジュールＩＤであって該拡張機器が備える機能モジュールを表す拡張機器機能モジュールＩＤと、前記新たに接続された拡張機器が接続される前の当該車載マルチメディア装置が備える機能モジュールを表すベース機器機能モジュールＩＤとを、比較することにより検出される、請求項１に記載の車載マルチメディア装置。
【請求項６】
電源からの電力供給を受けて動作する少なくとも１つの機能モジュールを備え、拡張機器が接続されるインターフェースを有する車載マルチメディア装置であって、
前記インターフェースに拡張機器が新たに接続された場合に、該検出された拡張機器に備わる機能モジュールを特定する機能モジュール特定手段と、
前記特定した拡張機器側の機能モジュールに対応する機能モジュール（以下、対応機能モジュールという）を、該拡張機器が接続される前の当該車載マルチメディア装置が備えるか否かを判定する判定手段と、
前記判定手段において対応機能モジュールを備えると判定された場合に、該対応機能モジュールへの電力供給を遮断すると共に、前記拡張機器に備わる機能モジュールへ電力供給を行う手段とを備えることを特徴とする、車載マルチメディア装置。
【請求項７】
前記機能モジュール特定手段は、前記インターフェースに新たに接続された前記拡張機器から得られる拡張機器機能モジュールＩＤに基づいて前記拡張機器に備わる機能モジュールを特定し、前記拡張機器機能モジュールＩＤは、前記インターフェースに新たに接続された前記拡張機器の記憶部に記憶され、該拡張機器が備える機能モジュールを表す、請求項５に記載の車載マルチメディア装置。
【請求項８】
前記新たに接続された拡張機器が接続される前の当該車載マルチメディア装置が備える機能モジュールを表すベース機器機能モジュールＩＤを記憶する記憶手段を更に備え、
前記判定手段は、前記インターフェースに新たに接続された前記拡張機器から得られる拡張機器機能モジュールＩＤと、前記記憶手段に記憶されたベース機器機能モジュールＩＤとを比較することにより、前記判定を行う、請求項６に記載の車載マルチメディア装置。
【請求項９】
請求項１〜８のうちのいずれか１項に記載の車載マルチメディア装置と、前記インターフェースに接続される拡張機器とを備える、システム。
【請求項１０】
車載マルチメディア装置に対する電力供給方法であって、
前記車載マルチメディア装置は、電源からの電力供給を受けて動作する少なくとも１つの機能モジュールを備え、拡張機器が接続されるインターフェースを有し、
当該方法は、
前記インターフェースに拡張機器が新たに接続されたことを検出した場合に、該拡張機器に備わる機能モジュールを特定するステップと、
前記特定した機能モジュールに対応する機能モジュール（以下、対応機能モジュールという）を、該拡張機器が接続される前の前記車載マルチメディア装置が備えるか否かを判定する判定ステップと、
前記判定ステップにおいて対応機能モジュールを備えると判定された場合に、該対応機能モジュールへの電力供給を遮断すると共に、前記拡張機器に備わる機能モジュールへ電力供給を行うステップとを備えることを特徴とする、方法。
【発明の詳細な説明】
【技術分野】
【０００１】
本発明は、電源からの電力供給を受けて動作する少なくとも１つの機能モジュールを備え、拡張機器が接続されるインターフェースを有する車載マルチメディア装置及びその電力供給方法等に関する。
【背景技術】
【０００２】
従来から、機能拡張用の拡張ユニットを接続するための接続手段と、前記拡張ユニットに対する電力供給を指示するための指示手段と、機器本体内の主電源がオフされた状態で前記指示手段により前記拡張ユニットに対する電力供給が指示されたときに、前記機器本体内の主電源をオフ状態に保ちつつ前記拡張ユニットに対する電力供給を開始する電力供給制御手段とを具備することを特徴とする電子機器が知られている（例えば、特許文献１参照）。この技術によれば、拡張ユニットの機能だけを使用したいときに、拡張ユニットに対してのみ電力を供給するので、電子機器全体に対する電力供給を行う場合に比べて、電子機器の消費電力量を低減することが可能となる。
【特許文献１】特許第３４５５７３０号
【発明の開示】
【発明が解決しようとする課題】
【０００３】
ところで、近年、車両のマルチメディア装置の進化のスピードの速さや車両自体の長寿命化等に起因して、既存のマルチメディア装置に、後付で拡張機器を接続して、既存のマルチメディア装置の機能アップを可能とする構成が提案されている。上記の特許文献１に記載の電子機器もこの類の構成である。【０００４】
拡張機器を接続して既存のマルチメディア装置の機能アップを図る形態としては、拡張機器により、既存のマルチメディア装置には存在しない新たな機能を追加する形態の他、拡張機器により、既存のマルチメディア装置に存在する特定の機能の機能性を高める形態がある。後者の形態では、拡張機器が接続されると、以後、拡張機器の機能モジュールが、それに対応する既存のマルチメディア装置における既存の機能モジュールに取って代わり、当該既存の機能モジュールが実質的に使用されなくなる場合がある。かかる場合においても、既存の機能モジュールは待機電力等により電力消費を行うので、節電の観点から好ましくない。【０００５】
そこで、本発明は、拡張機器が接続された状態での消費電力量を効率的に低減することが可能な車載マルチメディア装置及びその電力供給方法等の提供を目的とする。
【課題を解決するための手段】
【０００６】
上記目的を達成するため、本発明の一局面によれば、電源からの電力供給を受けて動作する少なくとも１つの機能モジュールを備え、拡張機器が接続されるインターフェースを有する車載マルチメディア装置であって、
前記インターフェースに拡張機器が新たに接続されたときに、該接続前の状態で存在する既存の機能モジュールの中に、前記拡張機器に備わる機能モジュールに対応する既存の機能モジュール（対応機能モジュール）が存在する場合は、該既存の対応機能モジュールへの電力供給を遮断すると共に、前記拡張機器に備わる機能モジュールへ電力供給を行うことを特徴とする、車載マルチメディア装置が提供される。
【発明の効果】
【０００７】
本発明によれば、拡張機器が接続された状態での消費電力量を効率的に低減することが可能な車載マルチメディア装置及びその電力供給方法等が得られる。
【図面の簡単な説明】
【０００８】
【図１】本発明の一実施例による車載マルチメディア装置１に対する拡張機器の接続態様の幾つかの例を簡易的に示す図である。
【図２】本発明の一実施例による車載マルチメディア装置１の主要構成を示す図である。
【図３】図２のＰ部の拡大図である。
【図４】本実施例の車載マルチメディア装置１の制御装置３０により実現される主要処理の一例を示すフローチャートである。
【図５】本実施例の車載マルチメディア装置１における電力供給方法に関する具体例を示す図である。
【符号の説明】
【０００９】
１    車載マルチメディア装置
１０    ベースシステム
１２    外付拡張インターフェース
２０    拡張機器
２１    古い拡張機器
２２    拡張機器側の機能モジュール
２２Ｂ，２２Ｐ    拡張機器側の個別の機能モジュール
２４    記憶部
３０    制御装置
３２    外部機器認識管理部
３３    ベース機器情報記憶部
３４    モジュール構成判定部
３６    機能構成切替管理部
３８    電源管理部
４０    ベースシステム側の機能モジュール
４０Ａ，４０Ｂ，４０Ｃ，．．．４０Ｎ    ベースシステム側の個別の機能モジュール
４２Ａ，４２Ｂ，４２Ｃ，．．．４２Ｎ    スイッチ
５０    電源
【発明を実施するための最良の形態】
【００１０】
以下、図面を参照して、本発明を実施するための最良の形態の説明を行う。【００１１】
図１は、本発明の一実施例による車載マルチメディア装置１に対する拡張機器の接続態様の幾つかの外形の例を簡易的に示す。【００１２】
図１（Ａ）は、車載マルチメディア装置１のベースシステム（基本システム）１０に、拡張機器２０が接続される一般的な形態を示す。図１（Ｂ）は、車載マルチメディア装置１のベースシステム１０に、古い拡張機器２１が既に取り付けられており、その後、当該古い拡張機器２１を取り外して、新しい拡張機器２０が接続される形態を示す。即ち、新しい拡張機器２０が、古い拡張機器２１と交換される形態を示す。図１（Ｃ）は、車載マルチメディア装置１のベースシステム１０に、古い拡張機器２１が既に取り付けられており、その後、古い拡張機器２１に追加して、更なる拡張機器２０が接続される形態を示す。即ち、古い拡張機器２１を維持しつつ、新しい拡張機器２０が追加される形態を示す。図１（Ｃ）の形態では、更なる拡張機器２０を接続する際には、古い拡張機器２１が既にベースシステム１０と一体的に機能している状態である。従って、本明細書において、図１（Ｃ）の形態のような古い拡張機器２１は、ベースシステム１０の一部と看做して取り扱われる。【００１３】
尚、このような拡張機器２０を後付け可能な車載マルチメディア装置１は、拡張機器２０を後付けすることで、車載マルチメディア装置１の販売後の技術の発展やトレンド動向に機動的に対応することができる。また、拡張機器２０を後付けすることで、各販売地域特有の仕様差分（例えば日本向け仕様と欧州向け仕様との間の差分）を吸収し、高い商品性を提供することができる。【００１４】
図２は、本発明の一実施例による車載マルチメディア装置１の主要構成を示す図である。尚、図２には、車載マルチメディア装置１に拡張機器２０が接続された状態のシステムが図示されている。図３は、図２のＰ部の拡大図である。【００１５】
車載マルチメディア装置１は、拡張機器２０が接続される外付拡張インターフェース１２を備える。外付拡張インターフェース１２は、ＵＳＢ・Ｉ／Ｆや車内ＬＡＮコネクタ等のような任意の形態であってよい。また、外付拡張インターフェース１２は、図１（Ｃ）に示した形態を考慮して、複数個設定されてもよい。例えば図１（Ｃ）に示した形態では、ベースシステム１０に外付拡張インターフェース１２が複数個設定されてもよいし、及び／又は、古い拡張機器２１に更なる外付拡張インターフェース１２が設けられていてもよい。【００１６】
車載マルチメディア装置１は、制御装置３０を備える。制御装置３０は、マイクロコンピュータによって構成されており、例えば、ＣＰＵ、処理プログラムを格納するＲＯＭ、演算結果等を格納する読書き可能なＲＡＭ、タイマ、カウンタ、入力インターフェース、及び出力インターフェース等を有する。制御装置３０は、ＣＰＵにより実現される主要な機能部として、外部機器認識管理部３２と、ベース機器情報記憶部３３と、モジュール構成判定部３４と、機能構成切替管理部３６と、電源管理部３８とを含む。【００１７】
外部機器認識管理部３２は、外付拡張インターフェース１２に接続される拡張機器２０の存在を把握（認識）する。ベース機器情報記憶部３３には、ベースシステム１０に関する情報（ベース機器情報）が記憶される。ベース機器情報は、ベースシステム１０が備える機能モジュール４０（４０Ａ，４０Ｂ，４０Ｃ，．．．４０Ｎ）を特定するための情報（機能モジュールＩＤ）の他、通信シーケンス、画面構成、及び、遷移情報等を含んでよい。モジュール構成判定部３４は、外部機器認識管理部３２による拡張機器２０の認識時（新たな接続時）に動作し、外付拡張インターフェース１２に接続される拡張機器２０に備わる機能モジュール構成、及び、ベースシステム１０に備わる機能モジュール構成（既存の機能モジュール構成）を判定（認識）する。機能構成切替管理部３６は、モジュール構成判定部３４の判定結果に基づいて、適宜、ベースシステム１０に備わる機能モジュール４０の一部を、拡張機器２０に備わる機能モジュール２２に切替する。電源管理部３８は、機能構成切替管理部３６による切替動作に連動して動作し、切替が生じた機能モジュール４０の一部への電力供給を遮断する。尚、これら各部３２，３４，３６，３８の機能の一例の詳細は、後述する。【００１８】
車載マルチメディア装置１は、機能モジュール４０を備える。機能モジュール４０は、車載マルチメディア装置１の各種機能を実現するためのモジュールであり、一般的に、複数設定される。機能モジュール４０は、典型的には、ディスプレイ機能を実現するモジュール、ＦＭオーディオ、Bluetooth（登録商標）モジュール、ＣＤデッキ、ＵＳＢオーディオ等である。図２に示す例では、機能モジュール４０は、１２個の機能モジュール４０Ａ，４０Ｂ，４０Ｃ，．．．４０Ｎを備える。【００１９】
拡張機器２０は、ベースシステム１０の機能モジュール４０では実現できない機能を実現するための機能モジュール２２を備える。尚、図２に示す例では、機能モジュール２２は、２つの機能モジュール２２Ｂ，２２Ｐからなり、拡張機器２０の機能モジュール２２Ｂは、ベースシステム１０の機能モジュール４０Ｂの発展版（機能が拡張したもの）であり、機能モジュール２２Ｐは、ベースシステム１０の機能モジュール４０Ａ，４０Ｂ，４０Ｃ，．．．４０Ｎの何れにも対応しない新規の機能を実現する機能モジュールである。【００２０】
拡張機器２０は、また、適切な記憶装置で構成された記憶部２４を備える。記憶部２４には、拡張機器２０に関する情報（拡張機器情報）が予め記憶される。拡張機器情報は、拡張機器２０が備える機能モジュール２２を特定するための情報（機能モジュールＩＤ）の他、通信シーケンス、画面構成、及び、遷移情報等を含んでよい。【００２１】
車載マルチメディア装置１は、電源５０を備える。電源５０は、車載バッテリに接続される電源端子（典型的には、ＩＧ、ＡＣＣ）であってよい。電源５０は、例えば車載マルチメディア装置１の筐体表面に設けられる電源ボタンがユーザの操作によりオンにされている状態で、ＡＣＣ又はＩＧがオンにされたときに自動的にオンとなる。電源５０には、車載マルチメディア装置１のベースシステム１０に備わる各種機能モジュール４０Ａ，４０Ｂ，４０Ｃ，．．．４０Ｎが接続される。従って、各種機能モジュール４０Ａ，４０Ｂ，４０Ｃ，．．．４０Ｎは、電源５０から受ける電力供給により動作する。即ち、電源５０のオン状態では、後述の遮断が無い限り、機能モジュール４０Ａ，４０Ｂ，４０Ｃ，．．．４０Ｎのそれぞれと車載バッテリが導通した状態となる。【００２２】
ここで、本実施例では、図３に示すように、各種機能モジュール４０Ａ，４０Ｂ，４０Ｃ，．．．４０Ｎは、互いに独立した態様で、電源５０からの電力供給が遮断可能に構成されている。具体的には、図３に示すように、電源５０から各種機能モジュール４０Ａ，４０Ｂ，４０Ｃ，．．．４０Ｎへの電力供給ラインは、各種機能モジュール４０Ａ，４０Ｂ，４０Ｃ，．．．４０Ｎへと並列に分岐され、当該分岐後に、各対応する電力供給遮断用スイッチ４２Ａ，４２Ｂ，４２Ｃ，．．．４２Ｎが設けられる。電力供給遮断用スイッチ４２Ａ，４２Ｂ，４２Ｃ，．．．４２Ｎは、常態でオンしており、後述の如く電源管理部３８からのスイッチ切替信号（オフ指令）に応答してオフ状態に遷移する。これにより、例えば各種機能モジュール４０Ａ，４０Ｂ，４０Ｃ，．．．４０Ｎのうちの機能モジュール４０Ｃへの電力供給のみを遮断したいときは、電力供給遮断用スイッチ４２Ｃをオフするといった具合に、各種機能モジュール４０Ａ，４０Ｂ，４０Ｃ，．．．４０Ｎへの電力供給を個別に制御することが可能となる。尚、電力供給遮断用スイッチ４２Ａ，４２Ｂ，４２Ｃ，．．．４２Ｎは、半導体スイッチング素子で構成されてもよいし、リレー等で構成されてもよい。【００２３】
尚、図３に示す例では、各種機能モジュール４０Ａ，４０Ｂ，４０Ｃ，．．．４０Ｎの全てに対して電力供給の個別の制御が可能に構成されているが、機能モジュール４０Ａ，４０Ｂ，４０Ｃ，．．．４０Ｎの一部のみに対して電力供給の個別の制御が可能に構成されてもよい。例えば、機能モジュール４０Ａ，４０Ｂ，４０Ｃのみに対して電力供給の個別の制御が可能であるように構成されてもよい。この場合、電力供給遮断用スイッチ４２Ａ，４２Ｂ，４２Ｃのみが設定されることになる。この場合、電力供給の個別の制御が可能な機能モジュール４０Ａ，４０Ｂ，４０Ｃは、特に機能の拡張性・発展性の余地がある発展途上の機能モジュールであることが望ましい。これは、機能の拡張性・発展性の余地がある機能モジュールは、後に拡張機器２０による機能の拡張・増強の可能性が高く、それ故に、後述の電源供給の遮断が必要になる可能性が高いためである。また、電源供給の遮断による省エネルギ効果とスイッチ配置によるハードウェア構成追加のコスト増とのバランスを考慮して、電力供給の個別の制御が可能な機能モジュール４０Ａ，４０Ｂ，４０Ｃは、特に待機電力が比較的大きい機能モジュールであることが望ましい。【００２４】
図４は、本実施例の車載マルチメディア装置１の制御装置３０により実現される主要処理（電力供給方法）の一例を示すフローチャートである。以下では、図４の説明にあたって、適宜図２及び図３を参照する。図４に示す処理ルーチンは、外付拡張インターフェース１２に拡張機器２０が新たに接続された場合に起動するものであってよい。尚、この目的のため、例えば、拡張機器２０及び／又は外付拡張インターフェース１２は、外付拡張インターフェース１２に拡張機器２０が接続されたときに、その旨を知らせる信号を外部機器認識管理部３２に供給するように構成されてよい。【００２５】
ステップ４０１では、外部機器認識管理部３２において、外付拡張インターフェース１２に新たに接続された拡張機器２０の認識処理が実行される。この認識処理は、新たに接続された拡張機器２０が、利用可能な機器か否かの判定や、正当な機器か否かの判定等を含んでよい。【００２６】
ステップ４０２では、外部機器認識管理部３２において、外付拡張インターフェース１２に新たに接続された拡張機器２０から拡張機器情報を取得する。拡張機器情報は、上述の如く、拡張機器２０が備える機能モジュール４０を特定するための情報（機能モジュールＩＤ）を含む。拡張機器情報は、拡張機器２０において記憶部２４から取り出されてベースシステム１０に供給される。【００２７】
ステップ４０３では、モジュール構成判定部３４において、上記ステップ４０２で取得した拡張機器情報（特に機能モジュールＩＤ）と、ベースシステム１０に関する同様の機器情報（ベース機器情報の機能モジュールＩＤ）とに基づいて、機能モジュール構成判定処理が実行される。尚、ベース機器情報は、モジュール構成判定部３４によりベース機器情報記憶部３３から読み出される。また、ベース機器情報は、図１（Ｃ）の形態を考慮して、図４に示す処理ルーチンの終了後に、上記ステップ４０２で取得した拡張機器情報により更新されてもよい。また、ベース機器情報は、図１（Ｂ）の形態を考慮して、古い拡張機器２１が取り外されたときに、当該古い拡張機器２１に係る拡張機器情報を削除すること（即ち、当該古い拡張機器２１に係る拡張機器情報による更新を行う前の状態に戻すこと）により更新されてもよい。或いは、図１（Ｃ）の形態の場合は、ベース機器情報は、ベース機器情報記憶部３３及び古い拡張機器２１の記憶部２４から読み出されてもよい。【００２８】
本ステップ４０３の機能モジュール構成判定処理は、ベースシステム１０の機能モジュール４０と、拡張機器２０に関する機能モジュール２２との間に重複（例えば、機能の拡張・増強やバージョンアップのような対応関係）があるか否かを判定するための処理である。従って、機能モジュール構成判定処理は、例えば、ベースシステム１０の機能モジュール４０に関する機能モジュールＩＤと、拡張機器２０に関する機能モジュールＩＤとを比較・照合する処理であってよい。【００２９】
ステップ４０４では、モジュール構成判定部３４において、上記ステップ４０３の比較処理に基づいて、ベースシステム１０の機能モジュール４０と、拡張機器２０に関する機能モジュール２２との間に重複があるか否かを判定する。例えばベースシステム１０の機能モジュール４０に関する機能モジュールＩＤと、拡張機器２０に関する機能モジュールＩＤとが一致する場合、即ち、重複がある場合は、ステップ４０５に進み、重複が無い場合は、ステップ４０６に進む。尚、拡張機器２０に複数の機能モジュール２２が存在する場合であって、拡張機器２０の一部の機能モジュールのみが重複する場合には、重複する機能モジュールと重複しない機能モジュールのそれぞれに関してステップ４０５以降の処理及びステップ４０６以降の処理が別個独立して実行され、最終的にステップ４０９又はステップ４１０の処理が実行されてもよい。例えば、図２に示す例では、上述の如く、拡張機器２０には、２つの機能モジュール２２Ｂ，２２Ｐが存在し、拡張機器２０の機能モジュール２２Ｂは、ベースシステム１０の機能モジュール４０Ｂの発展版である。この場合、重複を起こす機能モジュール２２Ｂに関しては、ステップ４０５に進み、重複の無い（即ち追加機能となる）機能モジュール２２Ｐに関しては、ステップ４０６に進むことになる。【００３０】
ステップ４０５では、機能構成切替管理部３６において、ユーザが利用する機能を拡張機器２０側の機能となるように機能切替処理が実行される。具体的には、拡張機器２０の機能モジュール２２と重複するベースシステム１０の機能モジュール４０が、拡張機器２０の機能モジュール２２に切替られる。例えば、図２に示す例では、ベースシステム１０の機能モジュール４０Ｂが、拡張機器２０の機能モジュール２２Ｂにより取って代えられる。即ち、図２に示す例では、ベースシステム１０の機能モジュール４０Ｂに代えて拡張機器２０の機能モジュール２２Ｂが利用されるように、機能構成切替管理部３６による機能切替処理が実行される。【００３１】
ステップ４０６では、拡張機器２０の機能モジュール２２を利用するためにシステムリセットが必要か否かが判定され、システムリセットが必要な場合は、ステップ４０９に進み、システムリセットが不要な場合は、ステップ４１０に進む。【００３２】
ステップ４０７では、電源管理部３８において、上記ステップ４０４の機能切替処理の結果として利用されなくなるベースシステム１０の機能モジュール４０に対して、個別の電力供給遮断が可能か否かが判定される。図２及び図３に示す例では、個別の電力供給遮断が可能か否かは、電力供給遮断用スイッチ４２Ａのような電力供給遮断用のスイッチが設けられているか否かにより判定されてよい。尚、図４に示す例では、各種機能モジュール４０Ａ，４０Ｂ，４０Ｃ，．．．４０Ｎの全てに対して電力供給の個別の制御が可能に構成されているので、ステップ４０７は常に肯定判定となる。従って、ステップ４０７の判定は、機能モジュール４０Ａ，４０Ｂ，４０Ｃ，．．．４０Ｎの一部のみに対して電力供給の個別の制御が可能に構成されている場合に実施されてもよい。この場合、機能モジュール４０Ａ，４０Ｂ，４０Ｃ，．．．４０Ｎのうちのどの機能モジュール４０に対して電力供給の個別の制御が可能であるかを表す情報は、予めベースシステム１０の所定のメモリに格納されていてよい。【００３３】
本ステップ４０７において、重複するベースシステム１０の機能モジュール４０に対する個別の電力供給遮断が可能な場合は、ステップ４０８に進み、不能な場合は、ステップ４０９に進む。【００３４】
ステップ４０８では、電源管理部３８において、重複するベースシステム１０の機能モジュール４０に対する電力供給遮断設定処理が実行される。尚、図２に示す例では、ベースシステム１０の機能モジュール４０Ｂに対する電力供給遮断設定処理が実行される。この場合、機能モジュール４０Ｂに対する電力供給遮断設定処理は、電力供給遮断用スイッチ４２Ｂを開成するために必要な処理である。これは、例えば、電力供給遮断用スイッチ４２Ｂに対するスイッチ切替信号（オフ指令）の生成・印加である。尚、電力供給遮断設定処理は、電力供給遮断に必要なシステム管理プログラム（電源立ち上げシーケンスや電源制御プログラム等）の変更や、拡張機器２０側の機能モジュール２２を利用可能にするためのプログラム変更を伴ってもよい。【００３５】
ステップ４０９では、拡張機器２０の新たな接続に起因して必要となる構成反映のためのシステムリセットが実行される。【００３６】
ステップ４１０では、新規モジュール構成が反映される。即ち、車載マルチメディア装置１の再起動後、拡張機器２０の機能が反映され、ベースシステム側で不要な電源供給が停止される。【００３７】
このように図４に示す車載マルチメディア装置１に対する電力供給方法の一例によれば、拡張機器２０の接続によってベースシステム１０の機能に重複が生じた場合に、ベースシステム１０側における重複した機能に係るハードウェアリソースへの電力供給が停止されるので、ベースシステム１０側の重複した機能モジュールにおける無駄な電力消費を無くすことができる。【００３８】
図５は、本実施例の車載マルチメディア装置１における電力供給方法（拡張機器２０の接続時の電力遮断方法）に関する具体例を示す図である。【００３９】
図５は、ベースシステム１０に拡張機器２０が接続された状態を示す。ベースシステム１０側の機能モジュール４０は、ディスプレイ機能、ＦＭオーディオ、ハンズフリーのみに対応したBluetooth（ＢＴ）モジュール、ＣＤデッキ、音声認識に非対応のＵＳＢオーディオ等で構成されている。図５は、拡張機器２０としてハンズフリーのみならずオーディオ等も扱える発展型（advanced）ＢＴモジュール（即ち、例えば携帯電話や携帯音楽機器からの音楽データをBluetooth通信で受信して車両内で再生できる機能をも備えるＢＴモジュール）、音声認識に対応した音声認識機能付きＵＳＢオーディオ、及び、現地仕様（例えば欧州向け仕様）のナビゲーション機能を追加しようとした場合を表す。この場合、ＢＴモジュールとＵＳＢオーディオに関して、ベースシステム１０側と拡張機器２０側で機能モジュールの重複が生じる。【００４０】
図５に示す例の場合においては、ベースシステム１０側におけるBluetooth（ＢＴ）アンテナを含むＢＴモジュール及びＵＳＢオーディオをデコードする専用チップ等は、拡張機器２０の接続により、拡張機器２０側の機能利用に切り替るため、全く利用されなくなる。この場合、本実施例では、上述の如く、ベースシステム１０側におけるベースシステム１０側のＢＴアンテナを含むＢＴモジュール及びＵＳＢオーディオをデコードする専用チップ等に対する電源供給が停止される。これにより、待機電力等を含めた無駄な消費電力を効果的に無くすことができる。【００４１】
以上、本発明の好ましい実施例について詳説したが、本発明は、上述した実施例に制限されることはなく、本発明の範囲を逸脱することなく、上述した実施例に種々の変形及び置換を加えることができる。【００４２】
例えば、上述した実施例において、図４に示す処理ルーチンは、例えばイグニッションスイッチ又はＡＣＣスイッチがオンになった際に、新たな拡張機器２０が接続されているか否かを判定し、新たな拡張機器２０が接続されていると判定した場合に、起動されてもよい。【００４３】
また、上述した実施例において、各機能モジュール間の分別方法は、任意であるが、典型的には、機能的な相違に基づいて分別される。しかしながら、各機能モジュールは、例えば個別に電力供給の切断が可能な要素（集合）間で分別されてもよい。また、各機能モジュールの単位は、任意であるが、チップ単位であってもよいし、チップ及び周辺機器を含む単位であってもよい。
【図１】
2010116523.tif 000003
【図２】
2010116523.tif 000004
【図３】
2010116523.tif 000005
【図４】
2010116523.tif 000006
【図５】
2010116523.tif 000007
【国際調査報告】
2010116523.tif 000008
2010116523.tif 000009